(57)【特許請求の範囲】
【請求項１】
液透過性の表面シート、液不透過性の裏面シート及び両シート間に介在された液保持性の吸収体を有する吸収性物品において、
前記吸収体は、吸収性物品の外形にほぼ合致した形状の下部吸収体と、該下部吸収体の表面シート対向面上に配され且つ該下部吸収体よりも小さい上部吸収体とから構成され、該上部吸収体によって、表面シート対向面側の幅方向中央部に、長手方向へ延びる隆起部が形成されており、該上部吸収体の周囲に、該上部吸収体を実質的に取り囲むひも状の弾性部材が伸張状態で配されている吸収性物品。
【請求項２】
前記弾性部材が前記下部吸収体の表面シート対向面上に配されている請求項１記載の吸収性物品。
【請求項３】
前記弾性部材が、前記吸収体の内部に配されているか、又は前記吸収体における裏面シート対向面上に配されている請求項１記載の吸収性物品。
【請求項４】
前記隆起部の周囲を実質的に取り囲み且つ少なくとも前記表面シート及び前記吸収体が圧密化されてなる溝部が形成されている請求項１又は２記載の吸収性物品。
【請求項５】
前記弾性部材が２本配されており、各弾性部材は、互いに交差しないように前記吸収性物品の長手方向又は幅方向に延びている請求項１〜４の何れかに記載の吸収性物品。
【請求項６】
各弾性部材は、吸収性物品の長手方向一端部から他端部に亘って吸収性物品の長手方向に延び吸収性物品の縦中心線に対して対称に配されていると共に前記上部吸収体の周囲を取り囲むように配されており、
各弾性部材は、前記上部吸収体の両端縁の近傍で前記下部吸収体に接合されていると共に吸収性物品の両端部の近傍の位置で前記下部吸収体に接合されている請求項５記載の吸収性物品。
【請求項７】
各弾性部材は、吸収性物品の幅方向一側部から他側部に亘って吸収性物品の幅方向に延び吸収性物品の横中心線に対して対称に配されている共に前記上部吸収体の周囲を取り囲むように配されており、
各弾性部材は、前記上部吸収体の左右両側縁の近傍で前記下部吸収体に接合されていると共に吸収性物品の左右両側縁の近傍で前記下部吸収体に接合されている請求項５記載の吸収性物品。
【発明の詳細な説明】
【０００１】
【発明の属する技術分野】
本発明は、生理用ナプキンや使い捨ておむつなどの吸収性物品に関し、更に詳しくは、中央に隆起部を有し、着用者の身体との密着性が向上した吸収性物品に関する。
【０００２】
【従来の技術及び発明が解決しようとする課題】
生理用ナプキン、失禁パッド、パンティライナ等の吸収性物品においては、着衣当接面側へ向けて物品を長手方向に湾曲させることで、着用者の身体に密着させるものが多い。そのような吸収性物品では、長手方向からの漏れ防止は可能であるが、吸収性物品の幅方向での密着性が得らず、幅方向からの漏れが起こり易い。そこで、吸収性物品の左右両側部に立体ギャザーを設け、幅方向からの漏れを防止するようにしている。しかし、この場合には、排泄された液が、立体ギャザーの位置する左右両側部まで流れることになるので、物品の表面がべたつき快適な装着感が得られない場合がある。
【０００３】
また特開２０００−２６４号公報や特表平１０−５０００４７号公報に記載されているように、中央部を周縁部よりも高くして着用者の身体に密着させようとする吸収性物品も知られている。しかし、そのような形状の吸収性物品は、すべての着用者の体型に合致するわけではないので、装着により違和感が生ずる場合がある。
【０００４】
従って、本発明は、着用者の身体との密着性を高めつつ、着用による違和感の発生が防止された吸収性物品を提供することを目的とする。
【０００５】
【課題を解決するための手段】
本発明は、液透過性の表面シート、液不透過性の裏面シート及び両シート間に介在された液保持性の吸収体を有する吸収性物品において、
前記吸収体は、吸収性物品の外形にほぼ合致した形状の下部吸収体と、該下部吸収体の表面シート対向面上に配され且つ該下部吸収体よりも小さい上部吸収体とから構成され、該上部吸収体によって、表面シート対向面側の幅方向中央部に、長手方向へ延びる隆起部が形成されており、該上部吸収体の周囲に、該上部吸収体を実質的に取り囲むひも状の弾性部材が伸張状態で配されている吸収性物品を提供することにより前記目的を達成したものである。
【０００６】
【発明の実施の形態】
以下本発明を、その好ましい実施形態に基づき図面を参照しながら説明する。図１には、本発明の吸収性物品の第１の実施形態としての生理用ナプキンが一部破断されて示されている。また図２には、図１に示される生理用ナプキンにおけるII−II線断面図が示されている。
【０００７】
図１に示すように、本実施形態の生理用ナプキン１は縦長の形状をしており、液透過性の表面シート２、液不透過性の裏面シート３、及び両シート間に介在された液保持性の吸収体４を有している。表面シート２は、吸収体４の上面全域を覆っている。更に表面シート２は、吸収体４の左右両側縁から下面側に折り込まれて、吸収体４の下面における左右両側部を覆っている。そして、吸収体４の下面に折り込まれた表面シート２が、ホットメルト粘着剤等の所定の接合手段によって裏面シート３と接合されている。また、表面シート２及び裏面シート３は何れも吸収体４の前後端縁から外方に延出しており、延出した表面シート２と裏面シート３とが、ヒートシール等の所定の接合手段によって接合されている。裏面シート３の外面には、ナプキン１を着衣に固定するための粘着剤（図示せず）が塗布されている。粘着剤は、ナプキン１の幅方向へ延びるストライプ状に複数本塗布されている。
【０００８】
表面シート２及び裏面シート３及び吸収体４としては、吸収性物品の技術分野において公知のものを特に制限無く用いることができる。例えば表面シート２としては、液透過性を有する各種不織布や、多数の開孔を有する合成樹脂製のフィルムなどを用いることができる。裏面シート３としては、液不透過性である合成樹脂製のフィルムを用いることができる。斯かるフィルムは透湿性を有していてもよい。
【０００９】
吸収体４は、下部吸収体４ａと、該下部吸収体４ａの表面シート対向面上に配された上部吸収体４ｂとから構成されている。下部吸収体４ａは、ナプキン１の外形にほぼ合致した形状をしている。上部吸収体４ｂは、その厚みが下部吸収体４ａの厚みとほぼ同程度であり、大きさは下部吸収体４ａよりも小さくなっている。上部吸収体４ｂは、下部吸収体４ａの幅方向及び長手方向の中央部に配されており、下部吸収体４ａの長手方向へ延びる楕円形の形状をしている。このような構成の下部吸収体４ａ及び上部吸収体４ｂによって、吸収体４は、その表面シート対向面側の幅方向中央部に、吸収体４の周縁部よりも高さの高い隆起部を有することになる。両吸収体４ａ，４ｂは、例えばパルプと高吸収性ポリマーの粒子との混合物から構成されている。
【００１０】
本実施形態のナプキン１においては、下部吸収体４ａの表面シート対向面上に、ひも状の２本の弾性部材５ａ，５ｂが伸張状態でそれぞれ配されている。各弾性部材５ａ，５ｂは、前述した隆起部である上部吸収体４ｂの周囲を実質的に取り囲むように配されている。また各弾性部材５ａ，５ｂは、ナプキン１の長手方向一端部から他端部に亘ってナプキン１の長手方向に延びており、ナプキン１の縦中心線に対して対称に配されている。
【００１１】
具体的には、各弾性部材５ａ，５ｂは、ナプキン１の一端部の幅方向中央部における第１の接合部６ａの位置で、ホットメルト粘着剤等の所定の接合手段によって下部吸収体４ａに接合されている。そして各弾性部材５ａ，５ｂは、第１の接合部６ａを基端点としてナプキン１の縦中心線に沿って上部吸収体４ｂへ向かって延びている。上部吸収体４ｂの一方の端縁のやや手前に位置する第２の接合部６ｂの位置で、各弾性部材５ａ，５ｂは、ホットメルト粘着剤等の接合手段によって下部吸収体４ａに接合されている。第２の接合部６ｂの位置で接合されている各弾性部材５ａ，５ｂは該位置で分岐して、上部吸収体４ｂの左右の周縁にそれぞれ沿いながら延びている。更に、上部吸収体４ｂの左右の周縁にそれぞれ沿いながら延びる各弾性部材５ａ，５ｂは、上部吸収体４ｂの他方の端縁近傍に位置する第３の接合部６ｃの位置で合流し、該第３の接合部の位置で、ホットメルト粘着剤等の接合手段によって下部吸収体４ａに接合されている。そして、各弾性部材５ａ，５ｂは、第３の接合部６ｃの位置から、ナプキン１の他端部の幅方向中央部に位置する第４の接合部６ｄの位置まで延びて、該第４の接合部６ｄの位置で、ホットメルト粘着剤等の接合手段によって下部吸収体４ａに接合されている。
【００１２】
各弾性部材５ａ，５ｂは、第１の接合部６ａと第２の接合部６ｂとの間、第２の接合部６ｂと第３の接合部６ｃとの間、及び第３の接合部６ｃと第４の接合部６ｄとの間において、下部吸収体４ａに弱く接合されていると共に伸張状態となっている。
【００１３】
斯かる構成により、各弾性部材５ａ，５ｂの収縮力に起因して、吸収体４のうち弾性部材５ａ，５ｂによって取り囲まれた領域、つまり上部吸収体４ｂ及び該上部吸収体４ｂに対応する位置にある下部吸収体４ａが表面シート側に隆起する。上部吸収体４ｂを含む吸収体４が隆起する結果、ナプキン１は着用者の身体に密着するようになる。しかも、弾性部材５ａ，５ｂは伸縮可能となっているから、着用者の体型に応じて弾性部材５ａ，５ｂの伸縮の度合いが変化し、それに対応して吸収体４の隆起の度合いも変化する。その結果、着用者の身体に最も合致した形状に吸収体４が隆起して、着用による違和感が生ずるおそれもない。このように、本実施形態のナプキン１によれば、着用者の身体との密着性が高まり、且つ着用による違和感の発生が防止されたものとなる。その上、吸収体４は下部吸収体４ａと上部吸収体４ｂとの二段の構造となっており、隆起した部分に上部吸収体４ｂが存在しているので、該部分の吸収量が高いという利点もある。
【００１４】
また前述した通り、各弾性部材５ａ，５ｂは、第１の接合部６ａと第２の接合部６ｂとの間、及び第３の接合部６ｃと第４の接合部６ｄとの間において、伸張状態となっているので、その収縮力によってナプキン１は着衣当接面側へ向けて長手方向に凸状に湾曲する。これによっても、ナプキン１と着用者の身体との密着性が高まる。
【００１５】
更に、本実施形態のナプキン１においては、第２の接合部６ｂ及び第３の接合部６ｃの位置をナプキン１の長手方向へ適宜ずらすことで、第２の接合部６ｂと第３の接合部６ｃとの間での各弾性部材５ａ，５ｂの収縮力を制御でき、これによって上部吸収体４ｂを含む吸収体４の隆起の程度を制御できる。またナプキン１が着衣当接面側へ向けて凸状に湾曲する程度も制御できる.
【００１６】
各弾性部材５ａ，５ｂが、ナプキン１の縦中心線に対して対称に配されていることは前述の通りであるが、その場合、各弾性部材５ａ，５ｂは互いに交差しないように配されている。これによって、弾性部材５ａ，５ｂが交差することに起因するナプキン１のヨレやねじれの発生が防止される。
【００１７】
下部吸収体４ａと各弾性部材５ａ，５ｂとの接合手段は、これらの構成材料に応じて適切な手段が用いられる。例えば、下部吸収体４ａ及び各弾性部材５ａ，５ｂに熱融着性の材料が含まれている場合にはヒートシールによって接合することができる。熱融着性の材料が含まれていない場合にはホットメルト粘着剤などを用いた接着によって接合することができる。また、これらを組み合わせて接合してもよい。
【００１８】
ナプキン１の表面シート側には、隆起部としての上部吸収体４ｂの周囲を取り囲む実質的に連続した溝部７が形成されている。溝部７は、各弾性部材５ａ，５ｂが配されている位置よりもやや内側の位置に形成されている。また溝部７は、表面シート２及び下部吸収体４ａが圧密化されて形成されている。溝部７をこのように構成することで、弾性部材５ａ，５ｂの収縮によるナプキン１の湾曲が、溝部７の位置をきっかけとして起こり易くなり、ナプキン１が着用者の身体に一層密着しやすくなる。また、溝部７の防漏効果によって上部吸収体４ｂに吸収された液が、下部吸収体４ｂへ拡散することが防止される。
【００１９】
各弾性部材５ａ，５ｂは、糸状、細帯状等のひも状のものである。糸状の場合には、太さが１００〜１５００ｄｔｅｘ程度のものが好適に用いられ、細帯状の場合には、幅が３〜３０ｍｍ程度、厚みが０．０１〜０．１ｍｍ程度のものが好適に用いられる。
【００２０】
各弾性部材５ａ，５ｂは、１００％伸張力が１００〜１０００ｃＮ、特に２００〜５００ｃＮ程度のものであることが、吸収体４の適度な隆起の点から好ましい。また、各弾性部材５ａ，５ｂは、伸張率１１０〜２００％、特に１２０〜１５０％に伸張された状態で配されていることが、同様の理由から好ましい。
【００２１】
各弾性部材５ａ，５ｂを構成する材料としては、スチレン系エラストマー、オレフィン系エラストマー、塩ビ系エラストマー、ウレタン系エラストマー、エステル系エラストマー、アミド系エラストマー、シンジオタクチックポリ（１，２−ブタジエン）、ポリ（トランス−１，４−イソプレン）等が挙げられ、特にウレタン系エラストマー及びエステル系エラストマーが好適に用いられる。
【００２２】
次に、本発明の第２の実施形態について図３を参照しながら説明する。第２の実施形態については、第１の実施形態と異なる点についてのみ説明し、特に説明しない点については、第１の実施形態に関して詳述した説明が適宜適用される。また、図３において、図１及び図２と同じ部材に同じ符号を付してある。
【００２３】
図３に示す実施形態のナプキン１が、第１の実施形態のナプキンと異なる点は、弾性部材５ａ，５ｂの配置状態である。本実施形態においては、各弾性部材５ａ，５ｂは、ナプキン１の幅方向一側部から他側部に亘ってナプキン１の幅方向に延びており、ナプキン１の横中心線に対して対称に配されている。各弾性部材５ａ，５ｂが、隆起部である上部吸収体４ｂの周囲を実質的に取り囲むように配されている点は第１の実施形態と同様である。尚、本実施形態のナプキン１も第１の実施形態のナプキンと同様に、表面シート側に、隆起部としての上部吸収体４ｂの周囲を取り囲む実質的に連続した溝部が形成されているが、図３においては、該溝部は省略されている。
【００２４】
各弾性部材５ａ，５ｂは、上部吸収体４ｂの左右両側縁の近傍にそれぞれ位置する第１の接合部６ａ及び第４の接合部６ｄの位置で下部吸収体４ａに接合されている。更に、各弾性部材５ａ，５ｂは、ナプキン１の左右両側縁の近傍に位置する第２の接合部６ｂ及び第３の接合部６ｃの位置でやはり下部吸収体４ａに接合されている。第１の接合部６ａから第２の接合部６ｂまでの間、及び第３の接合部６ｃから第４の接合部６ｄまでの間では、各弾性部材５ａ，５ｂは、ナプキン１の横中心線に沿って配されている。
【００２５】
斯かる構成によって、本実施形態のナプキン１は、第１の実施形態のナプキンと同様に、隆起部としての上部吸収体４ｂが表面シート側に隆起し、ナプキン１と着用者の身体との密着性が高まり、またナプキン着用による違和感の発生が防止される。また、弾性部材５ａ，５ｂが、第１の接合部６ａから第２の接合部６ｂまでの間、及び第３の接合部６ｃから第４の接合部６ｄまでの間で収縮することで、ナプキン１の両側部が持ち上がり、ナプキン１は着衣当接面側へ向けて幅方向に凸状に湾曲する。
【００２６】
更に本実施形態のナプキン１においては、第１の実施形態のナプキンと同様に、各弾性部位材５ａ，５ｂが互いに交差しないように配されている。これによって第１の実施形態のナプキンと同様の効果が奏される。
【００２７】
本実施形態においては、第１の接合部６ａ及び第２の接合部６ｂの位置を、ナプキン１の幅方向で適宜左右にずらことで、上部吸収体４ａを含む吸収体４の隆起の程度を制御することができる。
【００２８】
本発明は前記実施形態に制限されない。例えば前記実施形態においては、各弾性部材５ａ，５ｂは、下部吸収体４ａの表面シート対向面上に配されていたが、これに代えて、吸収体４中（下部吸収体４ａ中）や、下部吸収体４ａの裏面シート対向面上に各弾性部材５ａ，５ｂを配してもよい。
【００２９】
また前記実施形態においては、２本の弾性部材５ａ，５ｂで、吸収体４の隆起部（上部吸収体４ｂ）の周囲を取り囲んだが、これに代えて１本又は３本以上の弾性部材で隆起部（上部吸収体４ｂ）の周囲を取り囲んでもよい。
【００３０】
また前記実施形態においては、各弾性部材５ａ，５ｂを、ナプキン１の長手方向一端部から他端部に亘り、又は幅方向一側部から他側部に亘り配したが、これに代えて、吸収体４の隆起部（上部吸収体４ｂ）の周囲にのみ弾性部材を配してもよい。
【００３１】
また前記実施形態においては、図２に示すように、弾性部材５ａ，５ｂの収縮力によって吸収体４が隆起し、バックシート３から浮いた状態となっているが、吸収体４とバックシート３とが接合されている場合には、吸収体４と共にバックシート３も浮いた状態となる。更に、弾性部材５ａ，５ｂの配置状態や、弾性部材５ａ，５ｂと吸収体４との接合状態によっては、吸収体４の中央部が弾性部材５ａ，５ｂの収縮力によって絞られることで該中央部の厚みが大きくなることもある。
【００３２】
本発明は、前述した生理用ナプキンに限られず、失禁パッド、パンティライナ、使い捨ておむつなどの他の吸収性物品にも同様に適用できる。
【００３３】
【発明の効果】
本発明の吸収性物品によれば、着用者の身体との密着性が高まり、また着用による違和感の発生が防止される。
【図面の簡単な説明】
【図１】本発明の吸収性物品の第１の実施形態としての生理用ナプキンを示す一部破断斜視図である。
【図２】図１におけるII−II線断面図である。
【図３】本発明の吸収性物品の第２の実施形態としての生理用ナプキンを示す斜視図（図１相当図）である。
【符号の説明】
１  生理用ナプキン（吸収性物品）
２  表面シート
３  裏面シート
４  吸収体
４ａ  下部吸収体
４ｂ  上部吸収体
５ａ，５ｂ  弾性部材
６ａ，６ｂ，６ｃ，６ｄ  接合部
７  溝部
【図１】
0003678157.tif 000002
【図２】
0003678157.tif 000003
【図３】
0003678157.tif 000004